(57)【要約】【課題】Ｈ型鋼の梁を有する建築物においてコンクリートスラブを安価に施工できるとともに、デッキプレートを回収して再利用することが可能なスラブ施工方法とそれに用いるデッキプレート支持具を提供する。【解決手段】デッキプレート支持具（１ａ）は、接続部（２ｃ）と、これに接続されて対向配置される２つの挟持部（２ａ，２ｂ）によって側面視略「コ」の字状をなし、挟持部（２ａ，２ｂ）の間にＨ型鋼（５）のフランジ（５ａ）を挿入可能に形成される打込み金物（２）と、上面にデッキプレート（６）の端部（６ａ）を載置可能に打込み金物（２）に取り付けられる角材（３）と、ボルト（４ａ，４ｂ）からなる。打込み金物（２）の挟持部（２ａ，２ｂ）には、ボルト（４ａ，４ｂ）に螺合するネジ孔（４ｃ，４ｄ）が形成されており、角材（３）には、側面（３ｂ）から側面（３ａ）へ向かってボルト（４ｂ）を挿通可能に貫通孔（４ｅ）が形成されている。【選択図】図１
2014103392.tif 000002
【特許請求の範囲】
【請求項１】
フランジ（５ａ）が水平をなすように配置されたＨ型鋼（５）の梁を有する建築物において、コンクリートスラブ（１３）を施工する際にデッキプレート（６）を支持するためのデッキプレート支持具（１ａ〜１ｃ）であって、
対向配置される一対の挟持部（２ａ，２ｂ、１４ａ，１４ｂ）を有して側面視「コ」の字状をなし、内部に前記フランジ（５ａ）を挿入可能に形成される固定手段（２，１４）と、
この固定手段（２，１４）に対して着脱可能に取り付けられるとともに、デッキプレート載置面（３ｃ，１５ｅ，１７ｃ）が上部に設けられた支持手段（３，１５，１７）と、を備えたことを特徴とするデッキプレート支持具（１ａ〜１ｃ）。
【請求項２】
前記支持手段（３，１７）は、前記固定手段（２）に取り付けられた状態で前記デッキプレート載置面（３ｃ，１７ｃ）に載置された前記デッキプレート（６）の上面（６ｂ）と前記フランジ（５ａ）の上面の高さが一致するように形成されたことを特徴とする請求項１記載のデッキプレート支持具（１ａ，１ｃ）。
【請求項３】
前記固定手段（１４）は、前記一対の挟持部（１４ａ，１４ｂ）の一方に接続される保持部（１４ｄ）を備え、この保持部（１４ｄ）と、それに接続される前記挟持部との内側に前記支持手段（１５）を挿入可能に形成されたことを特徴とする請求項１又は請求項２に記載のデッキプレート支持具（１ｂ）。
【請求項４】
前記支持手段（３，１５，１７）を前記固定手段（２，１４）に固定するためのボルト（４ｂ）を備え、
このボルト（４ｂ）に螺合するネジ孔（４ｄ）が前記固定手段（２，１４）に形成され、
このネジ孔（４ｄ）に連通するように、前記ボルト（４ｂ）を挿通するための貫通孔（４ｅ）が前記支持手段（３，１５，１７）に形成されたことを特徴とする請求項１乃至請求項３のいずれか１項に記載のデッキプレート支持具（１ａ〜１ｃ）。
【請求項５】
前記ネジ孔（４ｄ）は、前記一対の挟持部（２ａ，２ｂ）のうち前記フランジ（５ａ）の下方に位置する側に形成されたことを特徴とする請求項４記載のデッキプレート支持具（１ａ，１ｃ）。
【請求項６】
平面視矩形状をなして平面部（１６ａ）に前記ボルト（４ｂ）を挿通させるための長孔（１６ｂ）が長手方向に沿って長く形成された回転防止部材（１６）を備えたことを特徴とする請求項５記載のデッキプレート支持具（１ｃ）。
【請求項７】
前記一対の挟持部（２ａ，２ｂ、１４ａ，１４ｂ）のうち前記フランジ（５ａ）の下方に位置する側の挟持部（２ｂ，１４ｂ）を配置可能に、かつ、その挟持部（２ｂ，１４ｂ）の厚さに深さが等しくなるように前記支持手段（３，１５，１７）の前記デッキプレート載置面（３ｃ，１５ｅ，１７ｃ）に凹部（１８）が形成されたことを特徴とする請求項１乃至請求項６のいずれか１項に記載のデッキプレート支持具（１ａ〜１ｃ）。
【請求項８】
フランジ（５ａ）が水平をなすように配置されたＨ型鋼（５）の梁を有する建築物において、請求項１乃至請求項７のいずれか１項に記載のデッキプレート支持具を用いてコンクリートスラブ（１３）を形成するスラブ施工方法であって、
前記フランジ（５ａ）に前記固定手段（２，１４）を取り付ける工程と、
この固定手段（２，１４）に対して着脱可能に前記支持手段（３，１５，１７）を取り付ける工程と、
この支持手段（３，１５，１７）の上面（３ｃ，１５ｅ，１７ｃ）に前記デッキプレート（６）を設置する工程と、
このデッキプレート（６）の上面（６ｂ）に、予め練り混ぜられたコンクリートを流し込む工程と、
このコンクリートが固化した後に前記支持手段（３，１５，１７）を前記固定手段（２，１４）から取り外す工程と、
固化した前記コンクリートから前記デッキプレート（６）を取り外す工程と、を備えたことを特徴とするスラブ施工方法。
【発明の詳細な説明】
【技術分野】
【０００１】
本発明は、Ｈ型鋼を構造材料とする建築物において床や天井等を形成するコンクリート製のスラブを形成するスラブ施工方法に係り、特に、コンクリート打込み時に型枠として用いられるデッキプレートを再利用することが可能なデッキプレート支持具とそれを用いたスラブ施工方法に関する。
【背景技術】
【０００２】
鉄筋コンクリートや鉄骨鉄筋コンクリートを構造材料とする建築物では、梁の上などに仮設された型枠にコンクリートを打設するようにしてスラブが形成される。
その際、金属製の板材を加工したデッキプレートが型枠に用いられることがあるが、従来、デッキプレートは梁の上面に溶接やボルト締め等によって固定される場合が多く、固化したコンクリートから分離することができなかった。
このような構造のスラブにおいては、コンクリートと一体化したデッキプレートにより、コンクリートの欠点である引張強度が向上するというメリットがある。しかし、その反面、デッキプレートを再利用できないため、施工コストが高くなるという問題が生じていた。【０００３】
そこで、近年では、施工後のコンクリート製のスラブ（以下、コンクリートスラブという。）からデッキプレートを回収し再利用する技術について種々の提案がなされている。そして、それに関して既に幾つかの発明や考案が開示されている。
例えば、特許文献１には、水平方向へ所定の距離をあけて配置される第１の梁と第２の梁の間にコンクリートスラブを効率よく形成するとともに、前述のデッキプレートに相当する仮設床板の再利用を可能とする構造物の施工方法に関する発明が開示されている。
特許文献１に開示された発明は、２枚の平板が一方の平板の後端部と他方の平板の前端部とが重なりあう状態で前後方向へスライド自在に結合された可変長仮設床板と、固定長仮設床板を用いるものである。なお、可変長仮設床板と固定長仮設床板は、成型面となる平坦な表面をそれぞれ有している。
そして、これらの仮設床板を、２つの梁成型用型枠の対向する一対の上縁部の間に、支保工上に設置された枕木を介して架け渡すことにより成型材料であるコンクリートを流し込むための床面を構築することを特徴とする。
このような方法によれば、コンクリートが固化した後に、支保工、枕木及び梁成型用型枠を解体することで、可変長仮設床板と固定長仮設床板をコンクリートスラブから容易に分離して回収することができる。【０００４】
また、特許文献２には、「仮設型枠支持装置」という名称で、コンクリートスラブを施工する際に使用される仮設型枠を支持する装置に関する発明が開示されている。
特許文献２に開示された発明は、建造物の梁と梁の間に一時的に配置される仮設型枠を下側から支持する仮設支持部と、この仮設支持部の両端近傍に設けられ、梁のフランジの上下の内面をそれぞれ圧接して、仮設支持部の両端部を梁に固定する固定機構を備えた構造となっている。
このような構造によれば、仮設型枠の上に打設したコンクリートが固まった後、固定機構を解除すると、仮設型枠と仮設型枠支持装置が取り外し可能となる。したがって、仮設型枠及び仮設型枠支持装置を再利用することができる。
【先行技術文献】
【特許文献】
【０００５】
【特許文献１】特許第３７８１４２５号公報
【特許文献２】特開２００２−３０３０４１号公報
【発明の概要】
【発明が解決しようとする課題】
【０００６】
しかしながら、上述の従来技術である特許文献１に開示された発明においては、梁自体もコンクリートで成型するような場合には適用できるものの、Ｈ型鋼を梁として使用する、いわゆる鉄骨造の建築物に対しては適用できないという課題があった。【０００７】
また、特許文献２に開示された発明では、支保工を使用せずに仮設型枠を仮設型枠支持装置のみで支持できるように、剛性の高い部材等を仮設支持部に用いる必要がある。この場合、仮設支持部の構造が複雑になったり、重くなったりするなどして、製造コストが高くなってしまう。また、仮設型枠支持装置が仮設型枠と同等のサイズになるため、運搬や設置及び撤去が容易でない。そして、それらの作業に時間や労力を要するため、作業コストが嵩んでしまうという課題があった。【０００８】
本発明は、このような従来の事情に対処してなされたものであり、Ｈ型鋼の梁を有する建築物においてコンクリートスラブを安価に施工できるとともに、デッキプレートを回収して再利用することが可能なデッキプレート支持具とそれを用いたスラブ施工方法を提供することを目的とする。
【課題を解決するための手段】
【０００９】
上記目的を達成するため、請求項１記載の発明であるデッキプレート支持具は、フランジが水平をなすように配置されたＨ型鋼の梁を有する建築物において、コンクリートスラブを施工する際にデッキプレートを支持するためのデッキプレート支持具であって、対向配置される一対の挟持部を有して側面視「コ」の字状をなし、内部にフランジを挿入可能に形成される固定手段と、この固定手段に対して着脱可能に取り付けられるとともに、デッキプレート載置面が上部に設けられた支持手段と、を備えたことを特徴とするものである。
このような構造のデッキプレート支持具においては、予め練り混ぜられたコンクリートをデッキプレートの上面に流し込んだ場合、支持手段がコンクリートに接触せず、かつ、デッキプレートの下面側にコンクリートが回り込まないため、固化したコンクリート中に支持手段とデッキプレートが取り込まれるおそれがない。また、デッキプレート支持具は、構成する部材が安価で、その点数も少なく、簡単な構造であるにも関わらず、デッキプレートが安全かつ確実に支持されるという作用を有する。【００１０】
また、請求項２記載の発明は、請求項１に記載のデッキプレート支持具において、支持手段は、固定手段に取り付けられた状態でデッキプレート載置面に載置されたデッキプレートの上面とフランジの上面の高さが一致するように形成されたことことを特徴とするものである。
このような構造のデッキプレート支持具においては、請求項１記載の発明の作用に加えて、Ｈ型鋼のフランジの上面とデッキプレートの上面との間に段差が生じないため、コンクリートの無駄が省かれるという作用を有する。【００１１】
請求項３記載の発明は、請求項１又は請求項２に記載のデッキプレート支持具において、固定手段は、一対の挟持部の一方に接続される保持部を備え、この保持部と、それに接続される挟持部との内側に支持手段を挿入可能に形成されたことを特徴とするものである。
このような構造のデッキプレート支持具においては、請求項１又は請求項２に記載の発明の作用に加えて、固定手段がＨ型鋼のフランジに取り付けられた際に保持部が支持手段を横及び下方から抱え込むように保持するという作用を有する。この場合、複数の固定手段に対して１つの支持手段を取り付けたり、取り外したりする作業を一度に行うことができるため、効率が良い。【００１２】
請求項４記載の発明は、請求項１乃至請求項３のいずれか１項に記載のデッキプレート支持具において、支持手段を固定手段に固定するためのボルトを備え、このボルトに螺合するネジ孔が固定手段に形成され、このネジ孔に連通するように、ボルトを挿通するための貫通孔が支持手段に形成されたことを特徴とするものである。
このような構造のデッキプレート支持具においては、請求項１乃至請求項３のいずれか１項に記載の発明の作用に加えて、ボルトを貫通孔に挿通し、さらにネジ孔に締め込むことで、支持手段が固定手段に対して固定されるという作用を有する。【００１３】
請求項５記載の発明は、請求項４記載のデッキプレート支持具において、ネジ孔は、一対の挟持部のうちフランジの下方に位置する側に形成されたことを特徴とするものである。
このような構造のデッキプレート支持具においては、請求項４に記載の発明の作用に加えて、ボルトの軸方向が鉛直方向となるため、ボルトに対して、支持手段の重量に基づく曲げ荷重が発生し難いという作用を有する。また、支持手段を支持する方向と、ボルトを締め込む方向が一致するという作用を有する。【００１４】
請求項６記載の発明は、請求項５記載のデッキプレート支持具において、平面視矩形状をなして平面部にボルトを挿通させるための長孔が長手方向に沿って長く形成された回転防止部材を備えたことを特徴とするものである。
このような構造のデッキプレート支持具においては、請求項５に記載の発明の作用に加えて、デッキプレートやコンクリートスラブの荷重によって発生する回転モーメントに抗して、回転防止部材が支持手段の回転を防止するという作用を有する。【００１５】
請求項７記載の発明は、請求項１乃至請求項６のいずれか１項に記載のデッキプレート支持具において、一対の挟持部のうちフランジの下方に位置する側の挟持部を配置可能に、かつ、その挟持部の厚さに深さが等しくなるように支持手段のデッキプレート載置面に凹部が形成されたことを特徴とするものである。
このような構造のデッキプレート支持具においては、デッキプレートやコンクリートスラブの荷重によって支持手段に回転モーメントが加わった場合でも、支持手段のデッキプレート載置面がフランジの下面に当接するため、固定手段の挟持部が支持手段に当接する箇所に応力が集中し難いという作用を有する。【００１６】
請求項８記載の発明は、フランジが水平をなすように配置されたＨ型鋼の梁を有する建築物において、請求項１乃至請求項７のいずれか１項に記載のデッキプレート支持具を用いてコンクリートスラブを形成するスラブ施工方法であって、フランジに固定手段を取り付ける工程と、この固定手段に対して着脱可能に支持手段を取り付ける工程と、この支持手段の上面にデッキプレートを設置する工程と、このデッキプレートの上面に、予め練り混ぜられたコンクリートを流し込む工程と、このコンクリートが固化した後に支持手段を固定手段から取り外す工程と、固化したコンクリートからデッキプレートを取り外す工程と、を備えたことを特徴とするものである。
このような構成のスラブ施工方法においては、フランジが水平をなすように配置されたＨ型鋼の梁を有する建築物に対してコンクリートスラブを施工する際に、請求項１乃至請求項７のいずれか１項に記載された発明の作用が発揮される。
【発明の効果】
【００１７】
以上説明したように、本発明の請求項１に記載のデッキプレート支持具によれば、固化したコンクリートからのデッキプレートの分離が容易であるため、スラブの施工後に、デッキプレートをキズの少ないきれいな状態で回収して再利用することが可能である。また、本発明のデッキプレート支持具においては、製造コストを安くすることができる。【００１８】
本発明の請求項２に記載のデッキプレート支持具によれば、請求項１記載の発明の効果を奏することに加えて、材料コストを低く抑えて、スラブの施工全体にかかるコストの削減を図ることができる。【００１９】
本発明の請求項３に記載のデッキプレート支持具によれば、請求項１又は請求項２に記載の発明の効果を奏することに加えて、少ない人数でも安全に支持手段を固定手段に取り付けたり、取り外したりすることができるという効果を奏する。【００２０】
本発明の請求項４に記載のデッキプレート支持具によれば、請求項１乃至請求項３のいずれか１項に記載の発明の効果を奏することに加えて、支持手段が固定手段から離脱せず、安全性が高いという効果を奏する。【００２１】
本発明の請求項５に記載のデッキプレート支持具によれば、請求項４に記載の発明の効果に加えて、ボルトが変形し難いため、スラブ施工後において、ボルトを緩めて支持手段を固定手段から取り外す作業を容易に行うことができるという効果を奏する。また、支持手段を下方から支えつつ、ボルトの締付け等をするなど、安定した姿勢で一連の作業を行うことができるため、作業者の疲労が軽減される。【００２２】
本発明の請求項６に記載のデッキプレート支持具によれば、コンクリートスラブやデッキプレートの荷重が作用しても支持手段が回転し難いため、請求項５に記載の発明よりも安全性をさらに高めることができる。【００２３】
本発明の請求項７に記載のデッキプレート支持具によれば、請求項１乃至請求項６のいずれか１項に記載の発明に比べて、支持手段の上面に割れが生じ難く、安全性に優れている。【００２４】
本発明の請求項８に記載のスラブ施工方法によれば、請求項１乃至請求項７のいずれか１項に記載された発明の効果が発揮されるため、安価にコンクリートスラブを形成するとともに、施工後のコンクリートスラブからデッキプレートを容易に回収して再利用することができる。
【図面の簡単な説明】
【００２５】
【図１】（ａ）は本発明の実施の形態に係るデッキプレート支持具の実施例１の使用状態を示す側面図であり、（ｂ）は（ａ）におけるＡ−Ａ線矢視断面図である。
【図２】（ａ）及び（ｂ）はそれぞれ実施例１のデッキプレート支持具を構成する打込み金物及び角材の外観斜視図である。
【図３】（ａ）は実施例１のデッキプレート支持具によって支持されるデッキプレートの側面図であり、（ｂ）及び（ｃ）は（ａ）に示したデッキプレートを構成する２種類の型枠部材の平面図である。
【図４】実施例１のデッキプレート支持具を用いたスラブ施工方法の作業手順を示す工程図である。
【図５】（ａ）乃至（ｄ）は実施例１のデッキプレート支持具を用いてコンクリートスラブを施工する際の作業手順を説明するための図である。
【図６】（ａ）及び（ｂ）は実施例１のデッキプレート支持具を用いてコンクリートスラブを形成した後にデッキプレートを取り外す際の作業手順を説明するための図である。
【図７】（ａ）は本発明の実施の形態に係るデッキプレート支持具の実施例２の使用状態を示す側面図であり、（ｂ）は（ａ）におけるＣ−Ｃ線矢視断面図である。
【図８】（ａ）及び（ｂ）はそれぞれ実施例２のデッキプレート支持具を構成する打込み金物及び角材の外観斜視図である。
【図９】（ａ）乃至（ｄ）は実施例２のデッキプレート支持具を用いてコンクリートスラブを施工する際の作業手順を説明するための図である。
【図１０】（ａ）及び（ｂ）は実施例２のデッキプレート支持具を用いてコンクリートスラブを形成した後にデッキプレートを取り外す際の作業手順を説明するための図である。
【図１１】（ａ）は本発明の実施の形態に係るデッキプレート支持具の実施例３の使用状態を示す側面図であり、（ｂ）は（ａ）におけるＤ−Ｄ線矢視断面図である。
【図１２】（ａ）及び（ｂ）はそれぞれ実施例３のデッキプレート支持具を構成する回転防止部材及び角材の外観斜視図である。
【発明を実施するための形態】
【００２６】
本発明のデッキプレート支持具の構造とそれを用いたスラブ施工方法について、図１〜図１２を参照しながら具体的に説明する。
なお、Ｈ型鋼が構造物の梁として使用される場合、一対のフランジが上下に配置されることになるが、以下の実施例では、特に、上側に配置されたフランジにデッキプレート支持具を取り付ける場合について説明する。すなわち、下側のフランジを対象とする場合については説明を省略するが、この場合にも後述する本発明の作用及び効果は同様に発揮される。
【実施例１】
【００２７】
実施例１のデッキプレート支持具とそれを用いたスラブ施工方法について図１乃至図６を用いて説明する（特に、請求項１、請求項２、請求項５及び請求項８に対応）。
図１（ａ）は本実施例のデッキプレート支持具１ａの使用状態を示す側面図であり、図１（ｂ）は図１（ａ）におけるＡ−Ａ線矢視断面図である。また、図２（ａ）及び図２（ｂ）はそれぞれ図１のデッキプレート支持具１ａを構成する打込み金物２及び角材３の外観を示す斜視図である。
さらに、図３（ａ）はデッキプレート支持具１ａによって支持されるデッキプレート６の側面図であり、図３（ｂ）及び図３（ｃ）は、デッキプレート１ａを構成する型枠部材７，８の平面図である。なお、図３（ｂ）及び図３（ｃ）は図３（ａ）において矢印Ｂで示す方向に見たデッキプレート６を型枠部材７，８に分解した状態を示す図に相当する。【００２８】
図１及び図２に示すように、デッキプレート支持具１ａは、接続部２ｃと、これに接続されて対向配置される２つの挟持部２ａ，２ｂによって側面視略「コ」の字状をなし、挟持部２ａ，２ｂの間にＨ型鋼５のフランジ５ａを挿入可能に形成される打込み金物２と、上面にデッキプレート６の端部６ａを載置可能に打込み金物２に取り付けられる角材３と、ボルト４ａ，４ｂからなる。そして、打込み金物２の挟持部２ａ，２ｂには、ボルト４ａ，４ｂに螺合するネジ孔４ｃ，４ｄがそれぞれ形成されている。【００２９】
すなわち、角材３はデッキプレート６の支持手段を構成し、打込み金物２は角材３をＨ型鋼５のフランジ５ａに取り付けるための固定手段を構成している。
なお、本実施例では、固定手段として打込み金物２を用いているが、固定手段は必ずしも金属製でなくとも良く、例えば、剛性の高いプラスチックや木材等を使用することもできる。また、本実施例では角材３として枕木を想定しているが、木製に限らず、金属製やプラスチック製であっても良い。さらに、支持手段は、少なくとも上面にデッキプレート６の端部６ａを載置可能な形状であれば良いため、角材３のように四角柱に限らず、剛性を確保できるのであれば、例えば、細い板状の部材であっても良い。【００３０】
図２（ａ）では、同じ径のネジ孔４ｃ，４ｄが対向するように形成された状態が示されているが、ボルト４ａ，４ｂのいずれか一方をネジ孔４ｃ，４ｄに連通させるわけではないので、ネジ孔４ｃ，４ｄは対向する位置に形成されていなくとも良い。また、ボルト４ａ，４ｂの径は必ずしも同じである必要はない。
さらに、固定手段がＨ型鋼５のフランジ５ａから容易には外れない程度に、挟持部２ａ，２ｂとフランジ５ａとの隙間が小さい場合には、ボルト４ａを省略した構造としても良い。この場合、部品点数が少なくなるため、デッキプレート支持具１ａの製造コストが安くなるとともに、デッキプレート支持具１ａをＨ型鋼５に取り付ける際の作業性が向上する。ただし、本実施例に示したように、挟持部２ａ，２ｂとフランジ５ａとの隙間を大きくとり、ボルト４ａを用いて固定手段をＨ型鋼５に固定する構造の場合、フランジ５ａの厚さが異なる複数のＨ型鋼５に対して、１つのデッキプレート支持具１ａを共通に使用できるというメリットがある。【００３１】
角材３には、側面３ｂから側面３ａへ向かってボルト４ｂを挿通可能に、かつ、側面３ａに対して垂直に貫通孔４ｅが形成されている。また、図１（ａ）に示すようにデッキプレート支持具１ａをＨ型鋼５のフランジ５ａに取り付けた場合、デッキプレート６の上面６ｂとＨ型鋼５のフランジ５ａの上面の高さが略一致するように、角材３のデッキプレート載置面３ｃは、打込み金物２の挟持部２ｂに当接する側面３ａよりも一段高く形成されている。【００３２】
図３（ａ）乃至図３（ｃ）に示すように、デッキプレート６は、薄肉鋼板製の型枠部材７，８からなる。型枠部材７，８は、上面６ｂがコンクリートを打設する際に成型面となる平板部９，１０の裏面側に、互いに相似関係にあり、断面形状がＶ字をなす補強用突条部１１，１２が平板部９，１０の前後方向へ直線状に延設された構造となっている。
なお、補強用突条部１１は、小径部分１１ａと大径部分１１ｂを有する段付き構造をなし、各小径部分１１ａは各補強用突状部１２に対してそれぞれ内挿可能に配置されている。そして、小径部分１１ａと平板部９の間には、平板部１０を挿入可能に、スライド許容スリット（図示せず）が設けられている。【００３３】
すなわち、デッキプレート６は、補強用突条部１１の小径部分１１ａを補強用突条部１２の内部に挿入するようにして型枠部材７を型枠部材８に連結した場合、図３（ａ）に矢印Ｘで示したように型枠部材７，８を互いにスライドさせることで、全長が容易に変化する。したがって、デッキプレート６は、コンクリートスラブから分離回収した後の利用範囲が広く、再利用に最も適した構造であるといえる。【００３４】
このような構造のデッキプレート支持具１ａにおいては、デッキプレート６の上面６ｂに対して、予め練り混ぜられたコンクリートを流し込んだ場合、デッキプレート６の端部６ａを回って、その下面側にコンクリートが潜り込んでしまうことがなく、また、コンクリートは角材３に対し側面３ａの一部にしか接触しないため、固化したコンクリートの中に角材３やデッキプレート６の一部が取り込まれてしまうおそれはない。
この場合、コンクリートスラブからデッキプレート６を容易に分離できるため、キズの少ないきれいな状態でデッキプレート６を回収し、再利用することが可能となる。【００３５】
また、デッキプレート支持具１ａは、それを構成する各部材が安価であり、その点数も少ない上、簡単な構造である。にも関わらず、デッキプレート６が安全かつ確実に支持されるという作用を有している。
さらに、Ｈ型鋼５のフランジ５ａの上面とデッキプレート６の上面６ｂとの間に段差が生じないことから、無駄なコンクリートの使用が抑えられる。
したがって、デッキプレート支持具１ａにおいては、製造コストを安くするとともに、使用するコンクリートのコストを低く抑えて、スラブの施工全体にかかるコストの削減を図ることができる。【００３６】
加えて、デッキプレート支持具１ａにおいては、ボルト４ｂを貫通孔４ｅに挿通した後、ネジ孔４ｄに締め込むことで、角材３が打込み金物２に対して固定されるという作用を有する。これにより、角材３の打込み金物２からの離脱が防止されるため、安全性が高まる。
また、ボルト４ｂは軸方向が鉛直方向となるため、角材３の重量に基づく曲げ荷重がボルト４ｂに発生し難い。この場合、ボルト４ｂが変形し難いため、スラブ施工後に、容易にボルト４ｂを緩めて角材３を打込み金物２から取り外すことができる。
さらに、角材３を支持する方向とボルト４ｂを締め込む方向が同じであるため、角材３を下方から支えつつ、ボルト４ｂの締付け等をするなど、安定した姿勢で一連の作業を行うことができるため、作業者の疲労が軽減される。【００３７】
次に、デッキプレート支持具１ａを用いたコンクリートスラブの施工方法について、図５及び図６を適宜参照しながら図４を用いて説明する。なお、図１乃至図３に示した構成要素については、同一の符号を付して、その説明を省略する。
図４は本実施例のデッキプレート支持具１ａを用いてコンクリートスラブ１３を施工する際の作業手順を示す工程図である。また、図５及び図６は、その作業手順を説明するために、Ｈ型鋼５のフランジ５ａに対するデッキプレート支持具１ａの取り付け状態を図４の工程図に沿って示した図である。【００３８】
図４に示すように、まず、ステップＳ１において、Ｈ型鋼５に打込み金物２を取り付ける。すなわち、フランジ５ａを挟持部２ａ，２ｂによって上下から挟み込むように打込み金物２を設置し、ネジ孔４ｃに螺入させたボルト４ａを締めて、ボルト４ａの下端でフランジ５ａの上面を押圧するようにして、打込み金物２をＨ型鋼５に対して固定する（図５（ａ）参照）。
次に、ステップＳ２では、挟持部２ｂのネジ孔４ｄに対して貫通孔４ｅを連通させるとともに、側面３ａを挟持部２ｂの下面に当接させた状態で、ボルト４ｂを貫通孔４ｅに下方から挿通し、ネジ孔４ｄに締め込むことにより、角材３を打込み金物２に固定する（図５（ｂ）参照）。これにより、Ｈ型鋼５に対するデッキプレート支持具１ａの取り付け作業が完了する。【００３９】
ステップＳ３では、型枠部材７，８をスライドさせることでデッキプレート６を適切な長さに調節した後、角材３のデッキプレート載置面３ｃにデッキプレート６の端部６ａを載置する（図５（ｃ）参照）。そして、角材３の側面３ａとＨ型鋼５のフランジ５ａの隙間Ｅ（図１（ｂ）参照）に、ポリウレタン製のスペーサ（図示せず）を設置する。
ステップＳ４では、予め練り混ぜたコンクリートをデッキプレート６の上面６ｂとＨ型鋼５のフランジ５ａの上面に流し込む。これにより、コンクリートの打設作業が完了する。そして、打設されたコンクリートが固化することで、コンクリートスラブ１３が形成される（図５（ｄ）参照）。なお、打込み金物２の上部とボルト４ａは、コンクリートの固化に伴い、コンクリートスラブ１３の内部に取り残される。【００４０】
ステップＳ５では、打込み金物２の挟持部２ｂに締結されたボルト４ｂを緩めて、ネジ孔４ｄ及び貫通孔４ｅから抜出し、角材３を打込み金物２から取り外す（図６（ａ）参照）。その結果、デッキプレート６は下方への移動に対する拘束が解除され、コンクリートスラブ１３から容易に分離可能な状態となる。
そこで、ステップＳ６において、デッキプレート６をコンクリートスラブ１３から取り外す（図６（ｂ）参照）。これにより、デッキプレート支持具１ａを用いたコンクリートスラブ１３の施工作業が完了する。【００４１】
このように、デッキプレート支持具１ａを用いたスラブ施工方法によれば、既に述べたデッキプレート支持具１ａの作用・効果が発揮されるため、コンクリートスラブ１３の施工を安価に行うとともに、施工後のコンクリートスラブ１３からデッキプレート６を容易に回収して再利用することができる。
【実施例２】
【００４２】
実施例２のデッキプレート支持具について図７乃至図１０を用いて説明する（特に、請求項３及び請求項４に対応）。
図７（ａ）は本実施例のデッキプレート支持具１ｂの使用状態を示す側面図であり、図７（ｂ）は図７（ａ）におけるＣ−Ｃ線矢視断面図である。また、図８（ａ）及び図８（ｂ）はそれぞれ図７のデッキプレート支持具１ｂを構成する打込み金物１４及び角材１５の外観を示す斜視図である。なお、図１及び図２に示した構成要素については、同一の符号を付してその説明を省略する。【００４３】
図７及び図８に示すように、デッキプレート支持具１ｂは、対向配置される挟持部１４ａ，１４ｂと、側面視略「コ」の字状をなすように挟持部１４ａ，１４ｂが両端に接続される接続部１４ｃと、挟持部１４ｂに接続されるとともに側面視「Ｌ」字状をなす保持部１４ｄによって構成され、挟持部１４ａ，１４ｂの間にＨ型鋼５のフランジ５ａを挿入可能に、かつ、挟持部１４ｂと保持部１４ｄの内側に角材１５を挿入可能に形成される打込み金物１４と、上面にデッキプレート６の端部６ａを載置可能に打込み金物１４に取り付けられる角材１５と、ボルト４ａ，４ｂからなる。なお、挟持部１４ｂ及び保持部１４ｄは角材１５を挟持可能に形成されている。
すなわち、本実施例では、角材１５がデッキプレート６の支持手段を構成し、打込み金物１４は角材１５をＨ型鋼５のフランジ５ａに取り付けるための固定手段を構成している。したがって、打込み金物１４の挟持部１４ａ，１４ｂ及び接続部１４ｃは、打込み金物２の挟持部２ａ，２ｂ及び接続部２ｃにそれぞれ対応する。【００４４】
打込み金物１４では、ボルト４ａに螺合するネジ孔４ｃが挟持部１４ａに形成されており、ボルト４ｂに螺合するネジ孔４ｄは、挟持部１４ｂに接続される保持部１４ｄに形成されている。
すなわち、打込み金物１４は、実施例１の打込み金物２の作用に加えて、保持部１４ｄが角材１５を側面と下方から抱え込むように保持するという作用を有する。この場合、複数の打込み金物１４に対して１つの角材１５を取り付けたり、取り外したりする際に、それらの作業を一度に行うことができる。したがって、作業効率が良い。また、ボルト４ｂをネジ孔４ｄから外して角材１５の貫通孔４ｅから抜き取った際に、すぐに打込み金物１４から角材１５が離脱し、落下してしまうようなことがないため、安全である。【００４５】
一方、角材１５は、互いに平行をなす側面１５ａ，１５ｂと、側面１５ａ，１５ｂに対して直交する側面１５ｃ，１５ｄを有するとともに、側面１５ｃから側面１５ｄへ向かってボルト４ｂを挿通可能に、かつ、側面１５ｄに対して垂直に貫通孔４ｅが形成されている。なお、貫通孔４ｅは、角材１５が打込み金物１４の挟持部１４ｂ及び保持部１４ｄによって側面１５ａ，１５ｂを挟持された状態において、ネジ孔４ｄに対して連通可能に形成されている。
また、図７（ａ）に示すようにデッキプレート支持具１ｂをＨ型鋼５のフランジ５ａに取り付けた場合、デッキプレート６の上面６ｂとＨ型鋼５のフランジ５ａの上面の高さが略一致するように、角材１５のデッキプレート載置面１５ｅは、打込み金物１４の挟持部１４ｂに当接する側面１５ａよりも一段高く形成されている。【００４６】
次に、デッキプレート支持具１ｂを用いたコンクリートスラブ１３の施工方法について、図９及び図１０を適宜参照しながら図４を用いて説明する。なお、図１乃至図８に示した構成要素については、同一の符号を付して、その説明を省略する。
図９及び図１０は、コンクリートスラブ１３を施工する際の作業手順を説明するために、Ｈ型鋼５のフランジ５ａに対するデッキプレート支持具１ｂの取り付け状態を図４の工程図に沿って示した図である。【００４７】
図４に示すように、まず、ステップＳ１において、挟持部１４ａ，１４ｂでフランジ５ａを上下から挟み込むようにして打込み金物１４をＨ型鋼５に取り付ける。さらに、ネジ孔４ｃに螺入させたボルト４ａを締めて、ボルト４ａの下端でフランジ５ａの上面を押圧するようにして、打込み金物１４をＨ型鋼５に対して固定する（図９（ａ）参照）。
次に、ステップＳ２において、側面１５ａを挟持部１４ｂの下面に当接させた状態で、接続部１４ｅのネジ孔４ｄと貫通孔４ｅが連通するように、角材１５を打込み金物１４の挟持部１４ｂと保持部１４ｄの間に設置する。さらに、ボルト４ｂを貫通孔４ｅに水平方向から挿通し、ネジ孔４ｄに締め込むことにより、角材１５を打込み金物１４に固定する（図９（ｂ）参照）。これにより、Ｈ型鋼５に対するデッキプレート支持具１ｂの取り付け作業が完了する。【００４８】
ステップＳ３では、型枠部材７，８をスライドさせることでデッキプレート６を適切な長さに調節した後、角材１５のデッキプレート載置面１５ｅにデッキプレート６の端部６ａを載置する（図９（ｃ）参照）。
ステップＳ４では、練り混ぜたコンクリートをデッキプレート６の上面６ｂとＨ型鋼５のフランジ５ａの上面に流し込む。これにより、コンクリートの打設作業が完了する。そして、打設されたコンクリートが固化することで、コンクリートスラブ１３が形成される（図９（ｄ）参照）。なお、打込み金物１４の上部とボルト４ａは、コンクリートの固化に伴い、コンクリートスラブ１３の内部に取り残される。【００４９】
ステップＳ５では、打込み金物１４の保持部１４ｄに締結されたボルト４ｂを緩めて、ネジ孔４ｄ及び貫通孔４ｅから抜出し、角材１５を打込み金物１４から取り外す（図１０（ａ）参照）。その結果、デッキプレート６は横方向への移動に対する拘束が解除され、コンクリートスラブ１３から容易に分離可能な状態となる。
そこで、ステップＳ６において、デッキプレート６をコンクリートスラブ１３から取り外す（図１０（ｂ）参照）。これにより、デッキプレート支持具１ｂを用いたコンクリートスラブ１３の施工作業が完了する。【００５０】
このように、デッキプレート支持具１ｂを用いたスラブ施工方法によれば、前述したデッキプレート支持具１ｂの作用・効果が発揮される。したがって、実施例１の場合と同様に、コンクリートスラブ１３の施工を安価に行い、施工後のコンクリートスラブ１３からのデッキプレート６の回収と再利用を容易にするという効果が発揮される。
【実施例３】
【００５１】
実施例３のデッキプレート支持具について図１１及び図１２を用いて説明する（特に、請求項６及び請求項７に対応）。
図１１（ａ）は本実施例のデッキプレート支持具１ｃの使用状態を示す側面図であり、図１１（ｂ）は図１１（ａ）におけるＤ−Ｄ線矢視断面図である。また、図１２（ａ）及び図１２（ｂ）はそれぞれデッキプレート支持具１ｃを構成する回転防止部材１６及び角材１７の外観を示す斜視図である。
なお、図１及び図２に示した構成要素については、同一の符号を付して、その説明を省略する。【００５２】
図１１及び図１２に示すように、デッキプレート支持具１ｃは、実施例１のデッキプレート支持具１ａにおいて、ボルト４ｂを挿通させるための長孔１６ｂを有する回転防止部材１６を備えるとともに、角材３の代わりに角材１７を用いることを特徴とする。
回転防止部材１６は、平面視矩形状の金属板であり、平面部１６ａには、長孔１６ｂが長手方向に沿って長く形成されている。また、角材１７は、略四角柱状をなし、側面１７ｂから側面１７ａへ向かってボルト４ｂを挿通可能に、かつ、側面１７ａに対して垂直に貫通孔４ｅが形成されている。なお、側面１７ａは、打込み金物２の挟持部２ｂが当接する面であり、デッキプレート載置面１７ｃに対し、挟持部２ｂを配置可能に設けられた凹部１８の底面であり、デッキプレート載置面１７ｃよりも挟持部２ｂの厚さ分ほど一段低く形成されている。【００５３】
次に、デッキプレート支持具１ｃを用いたコンクリートスラブの施工方法について図１１及び図１２を適宜参照しながら図４を用いて説明する。
図４に示すように、まず、ステップＳ１において、デッキプレート支持具１ａの場合と同様にして、Ｈ型鋼５に打込み金物２を取り付ける。次に、ステップＳ２では、挟持部２ｂのネジ孔４ｄに対して貫通孔４ｅ及び長孔１６ｂが連通するように、角材１７の側面１７ａを挟持部２ｂの下面に当接させるとともに、回転防止部材１６の平面部１６ａを角材１７の側面１７ｂに当接させた状態で、ボルト４ｂを長孔１６ｂと貫通孔４ｅに下方から挿通する。さらに、端面１６ｃがＨ型鋼５に当接するように角材１７に対する回転防止部材１６の長手方向の位置を調節した後、ボルト４ｂをネジ孔４ｄに締め込んで、角材１７を打込み金物２に固定する（図１１参照）。【００５４】
ステップＳ３では、デッキプレート支持具１ａの場合と同様にして、角材１７のデッキプレート載置面１７ｃにデッキプレート６の端部６ａを載置する。なお、デッキプレート支持具１ｃでは、打込み金物２の挟持部２ｂが角材１７の凹部１８に配置されることから、デッキプレート支持具１ａの場合とは異なり、隙間Ｅ（図１（ｂ）参照）は生じない。したがって、角材１７の側面１７ａとＨ型鋼５のフランジ５ａとの間にポリウレタン製のスペーサを設置する必要はない。
さらに、ステップＳ４において、デッキプレート支持具１ａの場合と同様にコンクリートの打設作業を行う。【００５５】
なお、ステップＳ３又はステップＳ４においては、コンクリートスラブ１３やデッキプレート６の荷重が角材１７のデッキプレート載置面１７ｃに加わることにより、デッキプレート支持具１ｃに対し、図１１（ａ）に矢印Ｆで示す方向に角材１７を回転させようとする回転モーメントが発生する。この回転モーメントは、デッキプレート支持具１ａの場合にも同様に生じるが、デッキプレート支持具１ａの場合には、ボルト４ｂが十分な曲げ剛性を有していないと、ボルト４ｂが折れ曲がり、角材３が回転する結果、デッキプレート６がデッキプレート載置面３ｃから外れてしまうおそれがある。これに対し、デッキプレート支持具１ｃでは、回転防止部材１６が上述の回転モーメントに抗して角材１７の回転を防止するという作用を有する。したがって、デッキプレート支持具１ａよりも安全性をさらに高めることができる。【００５６】
また、デッキプレート支持具１ａでは、上述の回転モーメントに起因する応力が角材３の側面３ａと挟持部２ｂとの接触箇所に集中し易いため、過大な回転モーメントが発生した場合には、その箇所で割れが発生する可能性もある。これに対し、デッキプレート支持具１ｃでは、角材１７のデッキプレート載置面１７ｃがフランジ５ａの下面に当接し、上記応力が角材１７の側面１７ａと挟持部２ｂとの接触箇所に集中し難い。すなわち、デッキプレート支持具１ｃによれば、デッキプレート支持具１ａに比べて、角材１７の側面１７ａに割れが発生し難く、安全性に優れている。【００５７】
ステップＳ５では、打込み金物２の挟持部２ｂに締結されたボルト４ｂを緩めて、ネジ孔４ｄ、貫通孔４ｅ及び長孔１６ｂから抜出し、回転防止材１６と角材１７を打込み金物２から取り外す。これにより、デッキプレート６は下方への移動に対する拘束が解除され、コンクリートスラブ１３から容易に分離可能となる。
最後に、ステップＳ６において、デッキプレート支持具１ａの場合と同様に、デッキプレート６をコンクリートスラブ１３から取り外す。【００５８】
このように、デッキプレート支持具１ｃを用いたスラブ施工方法においては、上述のデッキプレート支持具１ｃの作用・効果が発揮される。したがって、コンクリートスラブ１３の施工費用を安くするとともに、施工後にコンクリートスラブ１３からのデッキプレート６の回収と再利用を容易に行うことができる。【００５９】
なお、本発明のデッキプレート支持具は、上記実施例に示した構造に限定されるものではない。例えば、実施例１において、ボルト４ａを省略するとともに、ボルト４ｂを長くして、ネジ孔４ｄに螺入させたボルト４ｂを締め付けることにより、角材３を打込み金物２に固定するとともに、ボルト４ｂの先端でＨ型鋼５のフランジ５ａの下面を押圧して、打込み金物２をＨ型鋼５に固定する構造としても良い。この場合、部品点数が少なくなるため、デッキプレート支持具の製造コストの削減を図ることができる。また、締め付け等をするボルトが１本で済むため、作業効率が向上する。
さらに、実施例１における角材３のデッキプレート載置面３ｃ又は実施例２における角材１５のデッキプレート載置面１５ｃに対し、実施例３における角材１７と同様に、挟持部２ｂ，１４ｂを配置可能に、かつ、その深さが挟持部２ｂ，１４ｂの厚さと等しくなるように凹部１８が形成された構造としても良い。このような構造によれば、実施例３で説明した角材１７の作用及び効果が実施例１のデッキプレート支持具１ａや実施例２のデッキプレート支持具１ｂにおいても同様に発揮される。
なお、既に述べたように、コンクリート打設時の型枠には、コンクリートスラブ１３から回収した後の用途が広く、再利用し易い等の理由から、本実施例に示したデッキプレート６を用いることが望ましい。しかし、これに限定されるものではなく、本発明のデッキプレート支持具及びそれを用いたスラブ施工方法は、全長の調節ができない構造のデッキプレートに対しても同様に適用することができる。
【産業上の利用可能性】
【００６０】
請求項１乃至請求項８に記載された発明は、多層建築物の床や天井等に適用可能である。
【符号の説明】
【００６１】
１ａ      デッキプレート支持具
１ｂ      デッキプレート支持具
１ｃ      デッキプレート支持具
２        打込み金物
２ａ      挟持部
２ｂ      挟持部
２ｃ      接続部
３        角材
３ａ      側面
３ｂ      側面
３ｃ      デッキプレート載置面
４ａ      ボルト
４ｂ      ボルト
４ｃ      ネジ孔
４ｄ      ネジ孔
４ｅ      貫通孔
５        Ｈ型鋼
５ａ      フランジ
６        デッキプレート
６ａ      端部
６ｂ      上面
７        型枠部材
８        型枠部材
９        平板部
１０      平板部
１１      補強用突条部
１１ａ    小径部分
１１ｂ    大径部分
１２      補強用突条部
１３      コンクリートスラブ
１４      打込み金物
１４ａ    挟持部
１４ｂ    挟持部
１４ｃ    接続部
１４ｄ    保持部
１５      角材
１５ａ    側面
１５ｂ    側面
１５ｃ    側面
１５ｄ    側面
１５ｅ    デッキプレート載置面
１６      回転防止部材
１６ａ    平面部
１６ｂ    長孔
１６ｃ    端面
１７      角材
１７ａ    側面
１７ｂ    側面
１７ｃ    デッキプレート載置面
１８      凹部
【図１】
2014103392.tif 000003
【図２】
2014103392.tif 000004
【図３】
2014103392.tif 000005
【図４】
2014103392.tif 000006
【図５】
2014103392.tif 000007
【図６】
2014103392.tif 000008
【図７】
2014103392.tif 000009
【図８】
2014103392.tif 000010
【図９】
2014103392.tif 000011
【図１０】
2014103392.tif 000012
【図１１】
2014103392.tif 000013
【図１２】
2014103392.tif 000014
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
フランジ（５ａ）が水平をなすように配置されたＨ型鋼（５）の梁を有する建築物において、コンクリートスラブ（１３）を施工する際にデッキプレート（６）を支持するためのデッキプレート支持具（１ａ〜１ｃ）であって、
対向配置される一対の挟持部（２ａ，２ｂ、１４ａ，１４ｂ）を有して側面視「コ」の字状をなし、内部に前記フランジ（５ａ）を挿入可能に形成される固定手段（２，１４）と、
この固定手段（２，１４）に対して着脱可能に取り付けられるとともに、デッキプレート載置面（３ｃ，１５ｅ，１７ｃ）が上部に設けられた支持手段（３，１５，１７）と、を備え、
前記一対の挟持部（２ａ，２ｂ、１４ａ，１４ｂ）のうち前記フランジ（５ａ）の下方に位置する側の挟持部（２ｂ，１４ｂ）を配置可能に、かつ、その挟持部（２ｂ，１４ｂ）の厚さに深さが等しくなるように前記支持手段（３，１５，１７）の前記デッキプレート載置面（３ｃ，１５ｅ，１７ｃ）に凹部（１８）が形成されたことを特徴とするデッキプレート支持具（１ａ〜１ｃ）。
【請求項２】
前記支持手段（３，１７）は、前記固定手段（２）に取り付けられた状態で前記デッキプレート載置面（３ｃ，１７ｃ）に載置された前記デッキプレート（６）の上面（６ｂ）と前記フランジ（５ａ）の上面の高さが一致するように形成されたことを特徴とする請求項１記載のデッキプレート支持具（１ａ，１ｃ）。
【請求項３】
前記固定手段（１４）は、前記一対の挟持部（１４ａ，１４ｂ）の一方に接続される保持部（１４ｄ）を備え、この保持部（１４ｄ）と、それに接続される前記挟持部との内側に前記支持手段（１５）を挿入可能に形成されたことを特徴とする請求項１又は請求項２に記載のデッキプレート支持具（１ｂ）。
【請求項４】
前記支持手段（３，１５，１７）を前記固定手段（２，１４）に固定するためのボルト（４ｂ）を備え、
このボルト（４ｂ）に螺合するネジ孔（４ｄ）が前記固定手段（２，１４）に形成され、
このネジ孔（４ｄ）に連通するように、前記ボルト（４ｂ）を挿通するための貫通孔（４ｅ）が前記支持手段（３，１５，１７）に形成されたことを特徴とする請求項１乃至請求項３のいずれか１項に記載のデッキプレート支持具（１ａ〜１ｃ）。
【請求項５】
前記ネジ孔（４ｄ）は、前記一対の挟持部（２ａ，２ｂ）のうち前記フランジ（５ａ）の下方に位置する側に形成されたことを特徴とする請求項４記載のデッキプレート支持具（１ａ，１ｃ）。
【請求項６】
平面視矩形状をなして平面部（１６ａ）に前記ボルト（４ｂ）を挿通させるための長孔（１６ｂ）が長手方向に沿って長く形成された回転防止部材（１６）を備えたことを特徴とする請求項５記載のデッキプレート支持具（１ｃ）。
【請求項７】
（削除）
【請求項８】
フランジ（５ａ）が水平をなすように配置されたＨ型鋼（５）の梁を有する建築物において、請求項１乃至請求項６のいずれか１項に記載のデッキプレート支持具を用いてコンクリートスラブ（１３）を形成するスラブ施工方法であって、
前記フランジ（５ａ）に前記固定手段（２，１４）を取り付ける工程と、
この固定手段（２，１４）に対して着脱可能に前記支持手段（３，１５，１７）を取り付ける工程と、
この支持手段（３，１５，１７）の上面（３ｃ，１５ｅ，１７ｃ）に前記デッキプレート（６）を設置する工程と、
このデッキプレート（６）の上面（６ｂ）に、予め練り混ぜられたコンクリートを流し込む工程と、
このコンクリートが固化した後に前記支持手段（３，１５，１７）を前記固定手段（２，１４）から取り外す工程と、
固化した前記コンクリートから前記デッキプレート（６）を取り外す工程と、を備えたことを特徴とするスラブ施工方法。
【手続補正２】
【補正対象書類名】明細書
【補正対象項目名】０００３
【補正方法】変更
【補正の内容】
【０００３】
発明が解決しようとする課題
［０００６］
しかしながら、上述の従来技術である特許文献１に開示された発明においては、梁自体もコンクリートで成型するような場合には適用できるものの、Ｈ型鋼を梁として使用する、いわゆる鉄骨造の建築物に対しては適用できないという課題があった。
［０００７］
また、特許文献２に開示された発明では、支保工を使用せずに仮設型枠を仮設型枠支持装置のみで支持できるように、剛性の高い部材等を仮設支持部に用いる必要がある。この場合、仮設支持部の構造が複雑になったり、重くなったりするなどして、製造コストが高くなってしまう。また、仮設型枠支持装置が仮設型枠と同等のサイズになるため、運搬や設置及び撤去が容易でない。そして、それらの作業に時間や労力を要するため、作業コストが嵩んでしまうという課題があった。
［０００８］
本発明は、このような従来の事情に対処してなされたものであり、Ｈ型鋼の梁を有する建築物においてコンクリートスラブを安価に施工できるとともに、デッキプレートを回収して再利用することが可能なデッキプレート支持具とそれを用いたスラブ施工方法を提供することを目的とする。
課題を解決するための手段
［０００９］
上記目的を達成するため、請求項１記載の発明であるデッキプレート支持具は、フランジが水平をなすように配置されたＨ型鋼の梁を有する建築物において、コンクリートスラブを施工する際にデッキプレートを支持するためのデッキプレート支持具であって、対向配置される一対の挟持部を有して側面視「コ」の字状をなし、内部にフランジを挿入可能に形成される固定手段と、この固定手段に対して着脱可能に取り付けられるとともに、デッキプレート載置面が上部に設けられた支持手段と、を備え、一対の挟持部のうちフランジの下方に位置する側の挟持部を配置可能に、かつ、その挟持部の厚さに深さが等しくなるように支持手段のデッキプレート載置面に凹部が形成されたことを特徴とするものである。
このような構造のデッキプレート支持具においては、予め練り混ぜられたコンクリートをデッキプレートの上面に流し込んだ場合、支持手段がコンクリートに接触せず、かつ、デッキプレートの下面側にコンクリートが回り込
【手続補正３】
【補正対象書類名】明細書
【補正対象項目名】０００４
【補正方法】変更
【補正の内容】
【０００４】
まないため、固化したコンクリート中に支持手段とデッキプレートが取り込まれるおそれがない。また、デッキプレート支持具は、構成する部材が安価で、その点数も少なく、簡単な構造であるにも関わらず、デッキプレートが安全かつ確実に支持されるという作用を有する。さらに、デッキプレートやコンクリートスラブの荷重によって支持手段に回転モーメントが加わった場合でも、支持手段のデッキプレート載置面がフランジの下面に当接するため、固定手段の挟持部が支持手段に当接する箇所に応力が集中し難いという作用を有する。
［００１０］
また、請求項２記載の発明は、請求項１に記載のデッキプレート支持具において、支持手段は、固定手段に取り付けられた状態でデッキプレート載置面に載置されたデッキプレートの上面とフランジの上面の高さが一致するように形成されたことことを特徴とするものである。
このような構造のデッキプレート支持具においては、請求項１記載の発明の作用に加えて、Ｈ型鋼のフランジの上面とデッキプレートの上面との間に段差が生じないため、コンクリートの無駄が省かれるという作用を有する。
［００１１］
請求項３記載の発明は、請求項１又は請求項２に記載のデッキプレート支持具において、固定手段は、一対の挟持部の一方に接続される保持部を備え、この保持部と、それに接続される挟持部との内側に支持手段を挿入可能に形成されたことを特徴とするものである。
このような構造のデッキプレート支持具においては、請求項１又は請求項２に記載の発明の作用に加えて、固定手段がＨ型鋼のフランジに取り付けられた際に保持部が支持手段を横及び下方から抱え込むように保持するという作用を有する。この場合、複数の固定手段に対して１つの支持手段を取り付けたり、取り外したりする作業を一度に行うことができるため、効率が良い。
［００１２］
請求項４記載の発明は、請求項１乃至請求項３のいずれか１項に記載のデッキプレート支持具において、支持手段を固定手段に固定するためのボルトを備え、このボルトに螺合するネジ孔が固定手段に形成され、このネジ孔に連通するように、ボルトを挿通するための貫通孔が支持手段に形成されたことを特徴とするものである。
このような構造のデッキプレート支持具においては、請求項１乃至請求項３のいずれか１項に記載の発明の作用に加えて、ボルトを貫通孔に挿通し、
【手続補正４】
【補正対象書類名】明細書
【補正対象項目名】０００５
【補正方法】変更
【補正の内容】
【０００５】
さらにネジ孔に締め込むことで、支持手段が固定手段に対して固定されるという作用を有する。
［００１３］
請求項５記載の発明は、請求項４記載のデッキプレート支持具において、ネジ孔は、一対の挟持部のうちフランジの下方に位置する側に形成されたことを特徴とするものである。
このような構造のデッキプレート支持具においては、請求項４に記載の発明の作用に加えて、ボルトの軸方向が鉛直方向となるため、ボルトに対して、支持手段の重量に基づく曲げ荷重が発生し難いという作用を有する。また、支持手段を支持する方向と、ボルトを締め込む方向が一致するという作用を有する。
［００１４］
請求項６記載の発明は、請求項５記載のデッキプレート支持具において、平面視矩形状をなして平面部にボルトを挿通させるための長孔が長手方向に沿って長く形成された回転防止部材を備えたことを特徴とするものである。
このような構造のデッキプレート支持具においては、請求項５に記載の発明の作用に加えて、デッキプレートやコンクリートスラブの荷重によって発生する回転モーメントに抗して、回転防止部材が支持手段の回転を防止するという作用を有する。
［００１５］
［００１６］
請求項８記載の発明は、フランジが水平をなすように配置されたＨ型鋼の
【手続補正５】
【補正対象書類名】明細書
【補正対象項目名】０００６
【補正方法】変更
【補正の内容】
【０００６】
梁を有する建築物において、請求項１乃至請求項６のいずれか１項に記載のデッキプレート支持具を用いてコンクリートスラブを形成するスラブ施工方法であって、フランジに固定手段を取り付ける工程と、この固定手段に対して着脱可能に支持手段を取り付ける工程と、この支持手段の上面にデッキプレートを設置する工程と、このデッキプレートの上面に、予め練り混ぜられたコンクリートを流し込む工程と、このコンクリートが固化した後に支持手段を固定手段から取り外す工程と、固化したコンクリートからデッキプレートを取り外す工程と、を備えたことを特徴とするものである。
このような構成のスラブ施工方法においては、フランジが水平をなすように配置されたＨ型鋼の梁を有する建築物に対してコンクリートスラブを施工する際に、請求項１乃至請求項６のいずれか１項に記載された発明の作用が発揮される。
発明の効果
［００１７］
以上説明したように、本発明の請求項１に記載のデッキプレート支持具によれば、固化したコンクリートからのデッキプレートの分離が容易であるため、スラブの施工後に、デッキプレートをキズの少ないきれいな状態で回収して再利用することが可能である。また、本発明のデッキプレート支持具においては、製造コストを安くすることができる。さらに、支持手段の上面に割れが生じ難く、安全性に優れている。
［００１８］
本発明の請求項２に記載のデッキプレート支持具によれば、請求項１記載の発明の効果を奏することに加えて、材料コストを低く抑えて、スラブの施工全体にかかるコストの削減を図ることができる。
［００１９］
本発明の請求項３に記載のデッキプレート支持具によれば、請求項１又は請求項２に記載の発明の効果を奏することに加えて、少ない人数でも安全に支持手段を固定手段に取り付けたり、取り外したりすることができるという効果を奏する。
［００２０］
本発明の請求項４に記載のデッキプレート支持具によれば、請求項１乃至請求項３のいずれか１項に記載の発明の効果を奏することに加えて、支持手段が固定手段から離脱せず、安全性が高いという効果を奏する。
【手続補正６】
【補正対象書類名】明細書
【補正対象項目名】０００７
【補正方法】変更
【補正の内容】
【０００７】
［００２１］
本発明の請求項５に記載のデッキプレート支持具によれば、請求項４に記載の発明の効果に加えて、ボルトが変形し難いため、スラブ施工後において、ボルトを緩めて支持手段を固定手段から取り外す作業を容易に行うことができるという効果を奏する。また、支持手段を下方から支えつつ、ボルトの締付け等をするなど、安定した姿勢で一連の作業を行うことができるため、作業者の疲労が軽減される。
［００２２］
本発明の請求項６に記載のデッキプレート支持具によれば、コンクリートスラブやデッキプレートの荷重が作用しても支持手段が回転し難いため、請求項５に記載の発明よりも安全性をさらに高めることができる。
［００２３］
［００２４］
本発明の請求項８に記載のスラブ施工方法によれば、請求項１乃至請求項６のいずれか１項に記載された発明の効果が発揮されるため、安価にコンクリートスラブを形成するとともに、施工後のコンクリートスラブからデッキプレートを容易に回収して再利用することができる。
図面の簡単な説明
［００２５］
［図１］（ａ）は本発明の実施の形態に係るデッキプレート支持具の実施例１の使用状態を示す側面図であり、（ｂ）は（ａ）におけるＡ−Ａ線矢視断面図である。
［図２］（ａ）及び（ｂ）はそれぞれ実施例１のデッキプレート支持具を構成する打込み金物及び角材の外観斜視図である。
［図３］（ａ）は実施例１のデッキプレート支持具によって支持されるデッキプレートの側面図であり、（ｂ）及び（ｃ）は（ａ）に示したデッキプレートを構成する２種類の型枠部材の平面図である。
［図４］実施例１のデッキプレート支持具を用いたスラブ施工方法の作業手順を示す工程図である。
［図５］（ａ）乃至（ｄ）は実施例１のデッキプレート支持具を用いてコンクリ
【手続補正７】
【補正対象書類名】明細書
【補正対象項目名】００１７
【補正方法】変更
【補正の内容】
【００１７】
する（特に、請求項１及び請求項６に対応）。
図１１（ａ）は本実施例のデッキプレート支持具１ｃの使用状態を示す側面図であり、図１１（ｂ）は図１１（ａ）におけるＤ−Ｄ線矢視断面図である。また、図１２（ａ）及び図１２（ｂ）はそれぞれデッキプレート支持具１ｃを構成する回転防止部材１６及び角材１７の外観を示す斜視図である。
なお、図１及び図２に示した構成要素については、同一の符号を付して、その説明を省略する。
［００５２］
図１１及び図１２に示すように、デッキプレート支持具１ｃは、実施例１のデッキプレート支持具１ａにおいて、ボルト４ｂを挿通させるための長孔１６ｂを有する回転防止部材１６を備えるとともに、角材３の代わりに角材１７を用いることを特徴とする。
回転防止部材１６は、平面視矩形状の金属板であり、平面部１６ａには、長孔１６ｂが長手方向に沿って長く形成されている。また、角材１７は、略四角柱状をなし、側面１７ｂから側面１７ａへ向かってボルト４ｂを挿通可能に、かつ、側面１７ａに対して垂直に貫通孔４ｅが形成されている。なお、側面１７ａは、打込み金物２の挟持部２ｂが当接する面であり、デッキプレート載置面１７ｃに対し、挟持部２ｂを配置可能に設けられた凹部１８の底面であり、デッキプレート載置面１７ｃよりも挟持部２ｂの厚さ分ほど一段低く形成されている。
［００５３］
次に、デッキプレート支持具１ｃを用いたコンクリートスラブの施工方法について図１１及び図１２を適宜参照しながら図４を用いて説明する。
図４に示すように、まず、ステップＳ１において、デッキプレート支持具１ａの場合と同様にして、Ｈ型鋼５に打込み金物２を取り付ける。次に、ステップＳ２では、挟持部２ｂのネジ孔４ｄに対して貫通孔４ｅ及び長孔１６ｂが連通するように、角材１７の側面１７ａを挟持部２ｂの下面に当接させるとともに、回転防止部材１６の平面部１６ａを角材１７の側面１７ｂに当接させた状態で、ボルト４ｂを長孔１６ｂと貫通孔４ｅに下方から挿通する。さらに、端面１６ｃがＨ型鋼５に当接するように角材１７に対する回転防
【手続補正８】
【補正対象書類名】明細書
【補正対象項目名】００２０
【補正方法】変更
【補正の内容】
【００２０】
ト支持具１ｂにおいても同様に発揮される。
なお、既に述べたように、コンクリート打設時の型枠には、コンクリートスラブ１３から回収した後の用途が広く、再利用し易い等の理由から、本実施例に示したデッキプレート６を用いることが望ましい。しかし、これに限定されるものではなく、本発明のデッキプレート支持具及びそれを用いたスラブ施工方法は、全長の調節ができない構造のデッキプレートに対しても同様に適用することができる。
産業上の利用可能性
［００６０］
請求項１乃至請求項６及び請求項８に記載された発明は、多層建築物の床や天井等に適用可能である。
符号の説明
［００６１］
１ａ    デッキプレート支持具
１ｂ    デッキプレート支持具
１ｃ    デッキプレート支持具
２      打込み金物
２ａ    挟持部
２ｂ    挟持部
２ｃ    接続部
３      角材
３ａ    側面
３ｂ    側面
３ｃ    デッキプレート載置面
４ａ    ボルト
４ｂ    ボルト
４ｃ    ネジ孔
４ｄ    ネジ孔
４ｅ    貫通孔
５      Ｈ型鋼
【国際調査報告】
2014103392.tif 000015
2014103392.tif 000016
2014103392.tif 000017
2014103392.tif 000018